(57)【要約】      （修正有）【課題】安全注射器の提供。【解決手段】プランジャロッド４をシリンジ１外に向けて移動させれば、ニードルヘッドシート２とニードルヘッド３が併せて引っ張られシリンジ１内に内蔵され、安全の目的が達成される。プランジャロッド４には切断部４４が設けられ、且つプランジャロッド４の後段内は中空部４３２を呈し、切断部４４によりプランジャロッド４を切断してシリンジ１の長さを短縮でき、プランジャロッド４後段の各リブ４３の後端近く外周に、それぞれ係止溝４３１が形成され、プランジャロッド４の後段をシリンジ１の前端より最後まで挿入し、シリンジ１前端の口縁１１とプランジャロッド４の後段リブ４３の各係止溝４３１と係合することで、切断後のプランジャロッド４後段を再度シリンジ１内に収容し大幅に廃棄後の体積を縮小できる。【選択図】図１
0003116541.tif 000002
【実用新案登録請求の範囲】
【請求項１】
安全注射器において、
シリンジであって、シリンジ端部に口縁が形成され、該口縁近くのシリンジ内に位置決めフランジが形成された、上記シリンジと、
ニードルヘッドシートであって、一端にニードルヘッドと嵌合される嵌合端が形成され、ニードルヘッドシートがシリンジの孔内に組み合わされた後、ニードルヘッドシートがシリンジの前端に位置決めされ、並びにニードルヘッドシートの漏れ止めが達成され、ニードルヘッドシートの内端部分に複数の弾性爪で構成された係合孔が設けられた、上記ニードルヘッドシートと、
プランジャロッドであって、前述のシリンジ内に挿入され、プランジャロッドの前端に係止ヘッド部が形成されて、ニードルヘッドシートの係合孔と係合後にニードルヘッドシートがシリンジ内に引き込まれて内蔵され、プランジャロッド前端にピストンヘッドが嵌合され、プランジャロッドに切断部が設けられ、且つプランジャロッドの後段内が中空部を呈し並びに複数のリブが形成され、該切断部によりプランジャロッドが切断されてシリンジの長さが短縮され、並びに切断後のプランジャロッドの後段がシリンジ前端より末端まで挿入された、上記プランジャロッドと、
を包含し、注射時にプランジャロッドが押圧されてシリンジ内を推進して底端に至る時、プランジャロッド端部の係止ヘッド部がニードルヘッドシートの係合孔内に進入して係合し、このとき、プランジャロッドを外向きに引っ張るとニードルヘッドシートとニードルヘッドが併せて引っ張られてシリンジ内に内蔵され、安全機能を達成し、またプランジャロッドの後段を切断し、シリンジ前端より末端まで挿入して切断後のプランジャロッドをさらにシリンジ内に収容できることを特徴とする、安全注射器。
【請求項２】
請求項１記載の安全注射器において、プランジャロッドの切断部後段の各リブの後端近くの外縁に係止溝が形成され、切断後のプランジャロッドの後段をシリンジ前端より末端まで挿入してシリンジ前端の口縁とプランジャロッド後段のリブの係止溝を係合し位置決めできることを特徴とする、安全注射器。
【請求項３】
安全注射器において、
シリンジであって、シリンジ端部に口縁が形成され、該口縁近くのシリンジ内に位置決めフランジが形成された、上記シリンジと、
ニードルヘッドシートであって、一端にニードルヘッドと嵌合される嵌合端が形成され、ニードルヘッドシートの周縁に位置決め環状溝と漏れ止めパッキングが設けられ、ニードルヘッドシートがシリンジの孔内に組み合わされた後、ニードルヘッドシート周縁の位置決め環状溝がシリンジ前端孔内に形成された位置決めフランジ部分に位置決めされ、ニードルヘッドシートがシリンジの前端に位置決めされ、並びにニードルヘッドシートの漏れ止め機能が達成され、ニードルヘッドシートの内端部分に係合孔が設けられた、上記ニードルヘッドシートと、
プランジャロッドであって、前述のシリンジ内に挿入され、プランジャロッドの前端に複数の弾性爪で構成された係止部が形成されて、前述のニードルヘッドシートの係合孔と係合後にニードルヘッドシートをシリンジ内に引き込め、プランジャロッド前端にピストンヘッドが嵌合され、プランジャロッドに切断部が設けられ、且つプランジャロッドの後段内が中空部を呈し並びに複数のリブが形成され、切断部によりプランジャロッドを切断しシリンジの長さを短縮でき、並びに切断後のプランジャロッドの後段をシリンジ前端より末端まで挿入できることを特徴とする、安全注射器。
【請求項４】
請求項３記載の安全注射器において、プランジャロッドの切断部後段の各リブの後端近くの外縁に係止溝が形成され、切断後のプランジャロッドの後段をシリンジ前端より末端まで挿入してシリンジ前端の口縁とプランジャロッド後段のリブの係止溝を係合し位置決めできることを特徴とする、安全注射器。
【考案の詳細な説明】
【技術分野】
【０００１】
本考案は安全注射器に係り、特に、注射完了時にニードルヘッドをプランジャロッド内に内蔵でき、並びに切断したプランジャロッドの切断部をシリンジ前端より挿入でき、操作が簡便で廃棄物体積を増さない安全注射器の設計に関する。
【背景技術】
【０００２】
本願は特許文献１に記載の安全注射器を更に改良したものである。特許文献１の設計は、注射時にニードル退出プッシュレバー末端を押圧してプランジャロッドをシリンジ内に向けて底端まで推進させる時、このニードル退出プルレバー端部の弾性爪部がニードルヘッドシートの内孔に進入し並びにフック状部と係合し、このとき、ニードル退出プルレバーを外向きに移動させれば、ニードルヘッドシートとニードルヘッドが併せて引っ張られプルレバー内に内蔵され、安全の目的が達成される。ニードル退出プルレバーの中段部には切断部が設けられ、この部分で切断することでシリンジの長さを短縮でき、ニードル退出プルレバーのリブ中央に細長のスリットが形成され、切断後の２段のニードル退出プルレバーのリブガそれぞれ独立し且つ弾性を呈して湾曲する特性を有し、切断後のニードル退出プルレバーがプランジャロッド内に挿入されて僅かにねじれ、即ち２段のニードル退出プルレバーのもともと対向するリブが相互に位置ずれし、切断されたニードル退出プルレバーがプランジャロッド内に収容され、廃棄後の体積を大幅に縮小する。
【０００３】
この従来の技術はそれ以前の安全注射器に較べ、進歩性と機能の向上を達成しているが、ニードル退出プルレバー及びプランジャロッドを具備するため生産コストが高くなる問題がある。
【０００４】
もう一つの周知の技術として特許文献２に記載のものがあり、それはプランジャロッドによりニードルヘッドシートがシリンジ内に引き戻された後、プランジャロッドが切断部分で切断され、さらに切断されたプランジャロッドがシリンジ前方より挿入され、並びにプランジャロッド端部の円盤が針先を押圧して湾曲変形させる。ただし一般に、注射用ニードルのほとんどはスチール製であり、相当な剛性を有するため、押圧力をプランジャロッドに加えて針先を湾曲変形させるには相当大きな力が必要であり、一般の女性看護士にとっては相当な程度の問題を形成し、針先を押圧して湾曲変形させる状況を形成できないこともある。
【０００５】
【特許文献１】台湾特許第９０２０２０２３号
【特許文献２】台湾特許第８４２１３９１０号
【考案の開示】
【考案が解決しようとする課題】
【０００６】
本考案は一種の安全注射器を提供することを目的とし、それは、注射完了時にニードルヘッドをプランジャロッド内に内蔵でき、並びに切断したプランジャロッドの切断部をシリンジ前端より挿入でき、操作が簡便で廃棄物体積を増さない安全注射器であるものとする。
【課題を解決するための手段】
【０００７】
請求項１の考案は、安全注射器において、
シリンジであって、シリンジ端部に口縁が形成され、該口縁近くのシリンジ内に位置決めフランジが形成された、上記シリンジと、
ニードルヘッドシートであって、一端にニードルヘッドと嵌合される嵌合端が形成され、ニードルヘッドシートがシリンジの孔内に組み合わされた後、ニードルヘッドシートがシリンジの前端に位置決めされ、並びにニードルヘッドシートの漏れ止めが達成され、ニードルヘッドシートの内端部分に複数の弾性爪で構成された係合孔が設けられた、上記ニードルヘッドシートと、
プランジャロッドであって、前述のシリンジ内に挿入され、プランジャロッドの前端に係止ヘッド部が形成されて、ニードルヘッドシートの係合孔と係合後にニードルヘッドシートがシリンジ内に引き込まれて内蔵され、プランジャロッド前端にピストンヘッドが嵌合され、プランジャロッドに切断部が設けられ、且つプランジャロッドの後段内が中空部を呈し並びに複数のリブが形成され、該切断部によりプランジャロッドが切断されてシリンジの長さが短縮され、並びに切断後のプランジャロッドの後段がシリンジ前端より末端まで挿入された、上記プランジャロッドと、
を包含し、注射時にプランジャロッドが押圧されてシリンジ内を推進して底端に至る時、プランジャロッド端部の係止ヘッド部がニードルヘッドシートの係合孔内に進入して係合し、このとき、プランジャロッドを外向きに引っ張るとニードルヘッドシートとニードルヘッドが併せて引っ張られてシリンジ内に内蔵され、安全機能を達成し、またプランジャロッドの後段を切断し、シリンジ前端より末端まで挿入して切断後のプランジャロッドをさらにシリンジ内に収容できることを特徴とする、安全注射器としている。
請求項２の考案は、請求項１記載の安全注射器において、プランジャロッドの切断部後段の各リブの後端近くの外縁に係止溝が形成され、切断後のプランジャロッドの後段をシリンジ前端より末端まで挿入してシリンジ前端の口縁とプランジャロッド後段のリブの係止溝を係合し位置決めできることを特徴とする、安全注射器としている。
請求項３の考案は、安全注射器において、
シリンジであって、シリンジ端部に口縁が形成され、該口縁近くのシリンジ内に位置決めフランジが形成された、上記シリンジと、
ニードルヘッドシートであって、一端にニードルヘッドと嵌合される嵌合端が形成され、ニードルヘッドシートの周縁に位置決め環状溝と漏れ止めパッキングが設けられ、ニードルヘッドシートがシリンジの孔内に組み合わされた後、ニードルヘッドシート周縁の位置決め環状溝がシリンジ前端孔内に形成された位置決めフランジ部分に位置決めされ、ニードルヘッドシートがシリンジの前端に位置決めされ、並びにニードルヘッドシートの漏れ止め機能が達成され、ニードルヘッドシートの内端部分に係合孔が設けられた、上記ニードルヘッドシートと、
プランジャロッドであって、前述のシリンジ内に挿入され、プランジャロッドの前端に複数の弾性爪で構成された係止部が形成されて、前述のニードルヘッドシートの係合孔と係合後にニードルヘッドシートをシリンジ内に引き込め、プランジャロッド前端にピストンヘッドが嵌合され、プランジャロッドに切断部が設けられ、且つプランジャロッドの後段内が中空部を呈し並びに複数のリブが形成され、切断部によりプランジャロッドを切断しシリンジの長さを短縮でき、並びに切断後のプランジャロッドの後段をシリンジ前端より末端まで挿入できることを特徴とする、安全注射器としている。
請求項４の考案は、請求項３記載の安全注射器において、プランジャロッドの切断部後段の各リブの後端近くの外縁に係止溝が形成され、切断後のプランジャロッドの後段をシリンジ前端より末端まで挿入してシリンジ前端の口縁とプランジャロッド後段のリブの係止溝を係合し位置決めできることを特徴とする、安全注射器としている。
【考案の効果】
【０００８】
本考案の長所は以下のとおりである。
１．プランジャロッドを押圧してそれをシリンジ内に向けて底端まで推進させる時、プランジャロッド端部の係止部がニードルヘッドシートの係止孔内に係合し、この時、プランジャロッドを外向きに引き出せばニードルヘッドシートとニードルヘッドが併せて引っ張られてシリンジ内に内蔵され、安全の目的が達成される。
２．プランジャロッドに切断部が設けられ、且つプランジャロッドの後段内は中空部を呈し、切断部によりプランジャロッドを切断してシリンジの長さを短縮でき、プランジャロッド後段のリブの後端近く外端に係止溝が形成され、プランジャロッドの後段をシリンジ前端より最後まで挿入し、シリンジ前端の口縁とプランジャロッドの後段リブの各係止溝と係合し、切断後のプランジャロッドを更にシリンジ内に収容し、相当な便利性を有するほか、大幅に廃棄後の体積を減らすことができる。
【考案を実施するための最良の形態】
【０００９】
図１、図２及び図３に示されるように、本考案はシリンジ１内において、プランジャロッド４が設けられ、該プランジャロッド４の前端にプランジャロッド４の前端のピストンヘッド４１を貫通する係止ヘッド部４２が設けられ、シリンジ１の前端孔内に位置決めフランジ１１１が形成され、シリンジ１の前端孔内に周縁に漏れ止めパッキング２１１が取り付けられてニードルヘッド３のニードルヘッドシート２の嵌合に供され、並びにニードルヘッドシート２周縁に設けられた位置決め環状溝２１がシリンジ１の前端孔内に形成された位置決めフランジ１１１部分に位置決めされ、ニードルヘッドシート２がシリンジ１の前端に位置決めされる。ニードルヘッドシート２の内端部分に複数の弾性爪２３により構成されてプランジャロッド４の前端の係止ヘッド部４２と嵌合される係合孔２２が形成され、注射時にプランジャロッド４が押されてそれがシリンジ１内を推進し底端に至る時、プランジャロッド４の端部の係止ヘッド部４２がニードルヘッドシート２の係合孔２２内に進入して係合する。この時、プランジャロッド４をシリンジ１外に向けて移動させれば、ニードルヘッドシート２とニードルヘッド３が併せて引っ張られシリンジ１内に内蔵され、安全の目的が達成される。プランジャロッド４には切断部４４が設けられ、且つプランジャロッド４の後段内は中空部４３２を呈し、切断部４４によりプランジャロッド４を切断してシリンジ１の長さを短縮でき、プランジャロッド４後段の各リブ４３の後端近く外周に、それぞれ係止溝４３１が形成され、プランジャロッド４の後段をシリンジ１の前端より最後まで挿入し、シリンジ１前端の口縁１１とプランジャロッド４の後段リブ４３の各係止溝４３１と係合することで、切断後のプランジャロッド４後段を再度シリンジ１内に収容し大幅に廃棄後の体積を縮小できる。さらに、本考案の別の実施例ではプランジャロッド４の前端部分に複数の弾性爪４５１で構成された係止部４５が形成されて、ニードルヘッドシート２の係止孔２４と係合し、この時、プランジャロッド４をシリンジ１外に向けて引っ張ると、ニードルヘッドシート２とニードルヘッド３が併せて引っ張られてシリンジ１内に内蔵され、安全の目的が達成される（図４と図５参照）。
【００１０】
総合すると、本考案は使用に便利で、大幅に廃棄後の体積を縮小でき極めて良好な安全性を具えている。
【図面の簡単な説明】
【００１１】
【図１】本考案の立体分解図である。
【図２】本考案のプランジャロッドとシリンジの組合せ時の断面図である。
【図３】本考案のプランジャロッドを引き戻してニードルヘッドシートをシリンジ内に引き込み、並びにプランジャロッドを切断部で切断し、プランジャロッド後段をシリンジ前端よりシリンジ内に挿入した時の断面図である。
【図４】本考案の別の実施例の断面図である。
【図５】本考案の別の実施例のプランジャロッドを引き戻しニードルヘッドシートをシリンジ内に引き込み、並びにプランジャロッドを切断部で切断し、プランジャロッド後段をシリンジ前端よりシリンジ内に挿入した時の断面図である。
【符号の説明】
【００１２】
１  シリンジ
１１  口縁
１１１  位置決めフランジ
２  ニードルヘッドシート
２１  位置決め環状溝
２１１  漏れ止めパッキング
２２  係合孔
２３  弾性爪
２４  係止孔
３  ニードルヘッド
４  プランジャロッド
４１  ピストンヘッド
４２  係止ヘッド部
４３  リブ
４３１  係止溝
４３２  中空部
４４  切断部
４５  係止部
４５１  弾性爪
【図１】
0003116541.tif 000003
【図２】
0003116541.tif 000004
【図３】
0003116541.tif 000005
【図４】
0003116541.tif 000006
【図５】
0003116541.tif 000007